(57)【要約】【課題】本発明は、ディジタルカメラで撮影した写真を、指定した証明写真用のテンプレートに合わせて、不要部分をトリミングして印刷することで、証明写真が手軽に得られるフォトプリンタを提供する。【解決手段】  制御部は、表示器上に少なくとも上半分が楕円の曲線形状とその周囲に位置する矩形とからなるテンプレートをその画像に重ねて表示し、操作部６で特定の操作が行われたときに、このテンプレートの外側の画像と、テンプレート内の曲線形状と矩形との間の画像とをトリミング処理する。テンプレートとして、略四角形状の線で表されたテンプレートの外側の矩形１２と、顔の外側を示すための略Ω形状のテンプレートの内側の曲線形状１３を表示し、前記操作部６は、テンプレートの外側の矩形１２及びテンプレートの内側の曲線形状１３のそれぞれの位置、大きさを変更する手段を備える。【選択図】図２
2006215685.tif 000002
【特許請求の範囲】
【請求項１】
画像を入力する画像入力手段と、
前記画像入力手段に入力された画像を表示する表示器と、
前記表示器上に表示されている画像に対して、トリミング処理等の画像処理を行う制御部と、
前記表示器に表示される画像を印刷する印刷手段と、
前記制御部に対して画像処理を行うことを指示するための操作部と、
を備えたフォトプリンタにおいて、
前記制御部は、前記表示器上に少なくとも上半分が楕円の曲線形状とその周囲に位置する矩形とからなるテンプレートを前記画像に重ねて表示し、前記操作部で特定の操作が行われたときに、前記テンプレートの外側の画像と、テンプレート内の前記曲線形状と矩形との間の画像とをトリミング処理するものであって、さらに、前記制御部は、前記表示器上に前記表示されている画像から顔画像を抽出する顔画像抽出部と、前記テンプレートの曲線形状を該顔画像抽出部で抽出した顔画像の位置へ自動的に移動させるテンプレート自動配置部と、前記顔画像抽出部で抽出した顔画像が前記曲線形状の中に納まるように該テンプレートの大きさを自動調節するテンプレート自動調整部と、を含み、
前記操作部は、前記テンプレートを前記表示器上で移動させるためのキーと、縮小・拡大させるためのキーとを備え、
前記テンプレートのレイアウトを予め複数種類記憶するテンプレート記憶部を備え、前記操作部により、該テンプレート記憶部から任意のテンプレートが選択されるフォトプリンタ。
【請求項２】
画像を入力する画像入力手段と、
前記画像入力手段に入力された画像を表示する表示器と、
前記表示器上に表示されている画像に対して、トリミング処理等の画像処理を行う制御部と、
前記表示器に表示される画像を印刷する印刷手段と、
前記制御部に対して画像処理を行うことを指示するための操作部と、
を備えたフォトプリンタにおいて、
前記制御部は、前記表示器上に少なくとも上半分が楕円の曲線形状とその周囲に位置する矩形とからなるテンプレートを前記画像に重ねて表示し、前記操作部で特定の操作が行われたときに、前記テンプレートの外側の画像と、テンプレート内の前記曲線形状と矩形との間の画像とをトリミング処理するフォトプリンタ。
【請求項３】
前記操作部は、前記テンプレートを前記表示器上で移動させるためのキーと、縮小・拡大させるためのキーとを備えた請求項２記載のフォトプリンタ。
【請求項４】
前記テンプレートのレイアウトを予め複数種類記憶するテンプレート記憶部を備え、前記操作部により、該テンプレート記憶部から任意のテンプレートが選択される請求項２又は請求項３記載のフォトプリンタ。
【請求項５】
前記制御部は、前記表示器上に前記表示されている画像から顔画像を抽出する顔画像抽出部と、前記テンプレートの曲線形状を該顔画像抽出部で抽出した顔画像の位置へ自動的に移動させるテンプレート自動配置部とを含む、請求項２から４のいずれかに記載のフォトプリンタ。
【請求項６】
前記テンプレート自動配置部は、さらに、前記顔画像抽出部で抽出した顔画像が前記曲線形状の中に納まるように該テンプレートの大きさを自動調節するテンプレート自動調整部を含む、請求項５記載のフォトプリンタ。
【発明の詳細な説明】
【技術分野】
【０００１】
本発明は、証明写真が作成できるフォトプリンタに関する。
【背景技術】
【０００２】
従来、証明写真の製造装置において画像処理が提案されている（特許文献１、２参照。）。例えば、証明写真にカットマークを入れて写真のサイズを所望サイズにカットできる（特許文献１参照。）。また、顔画像撮影装置において、顔の大きさを自動認識して、出力画像の顔の大きさが均一になるようズーミング処理を行うことができる（特許文献２参照。）。
【０００３】
しかし、ディジタルカメラや、フォトプリンタの普及で家庭でも気軽に写真を撮影することができるにもかかわらず、証明写真は、サイズや写っている顔の大きさ等の規定があり、前記顔画像撮影装置などで撮影するしかなく、自分で気軽に撮影することができずコストがかかるものであった。
【０００４】
そこで、証明写真を作成するのに自前の写真を加工して簡易にできれば、便利であるところ、これを作成するには、背景をトリミングする必要がある。従来、撮像手段により取り込んだデータをトリミングして、文字を付加する等を行うフォトプリンタがある（特許文献３参照。）。しかしながら、証明写真を簡易に作成するフォトプリンタの記載はない。
【特許文献１】特開平０９―２７８９７号公報
【特許文献２】特開２０００―２９２８５２公報
【特許文献３】特開昭６２―２９３８８６号公報
【発明の開示】
【発明が解決しようとする課題】
【０００５】
本発明は、ディジタルカメラで撮影した写真を、指定した証明写真用のテンプレートに合わせて、不要部分をトリミングして印刷することで、証明写真が手軽に得られるフォトプリンタを提供する。
【課題を解決するための手段】
【０００６】
本発明は、上述の課題を解決するための手段を以下のように構成している。
【０００７】
（１）画像を入力する画像入力手段と、
前記画像入力手段に入力された画像を表示する表示器と、
前記表示器上に表示されている画像に対して、トリミング処理等の画像処理を行う制御部と、
前記表示器に表示される画像を印刷する印刷手段と、
前記制御部に対して画像処理を行うことを指示するための操作部と、
を備えたフォトプリンタにおいて、
前記制御部は、前記表示器上に少なくとも上半分が楕円の曲線形状とその周囲に位置する矩形とからなるテンプレートを前記画像に重ねて表示し、前記操作部で特定の操作が行われたときに、前記テンプレートの外側の画像と、テンプレート内の前記曲線形状と矩形との間の画像とをトリミング処理するフォトプリンタであることを特徴とする。
【０００８】
このように構成すれば、画像を入力し、前記特定の操作が行われたときに、表示器には、該画像および前記テンプレートが重ねて表示される。このテンプレートの外側の矩形は証明写真の大きさを指示するためのものであり、テンプレートの内側の曲線形状は人物の外側を示すためのものであって、この矩形と曲線で囲まれる部分を背景として取り除くことができる。
【０００９】
したがって、本発明によれば、ディジタルカメラで撮影した写真を画像入力手段により入力し、証明写真用のテンプレートに合わせて不要部分をトリミングしたものを印刷することができるので、証明写真が手軽に得ることができ、わざわざ、撮影所に行かなくても済む。
【００１０】
（２）前記操作部は、前記テンプレートを前記表示器上で移動させるためのキーと、縮小・拡大させるためのキーとを備えたことを特徴とする。
【００１１】
このように構成すれば、前記テンプレートの形状をフォトプリンタの使用者が調整できる。ユーザが前記テンプレートの外側の矩形の大きさを調整した場合には、画像のサイズを調整可能であり、また、前記テンプレートの内側の曲線形状の大きさを調整した場合には、顔の輪郭と背景との境界線を調整することが可能である。
（３）前記テンプレートのレイアウトを予め複数種類記憶するテンプレート記憶部を備え、前記操作部により、該テンプレート記憶部から任意のテンプレートが選択される上記の構成のいずれかのフォトプリンタであることを特徴とする。
【００１２】
このように構成すれば、画像から前記背景の部分をトリミングするのに最適なテンプレートを、フォトプリンタの使用者がテンプレート記憶部から呼び出して、前記操作部により選択できる。テンプレートの形状として、例えば、テンプレートの外側の矩形は、パスポート用、免許書用、履歴書用など用意でき、テンプレートの内側の曲線形状は、男性用にΩ形状とし、女性用にＵ形状の上下逆の形状とする等が考えられる。
【００１３】
（４）前記制御部は、前記表示器上に前記表示されている画像から顔画像を抽出する顔画像抽出部と、前記テンプレートの曲線形状を該顔画像抽出部で抽出した顔画像の位置へ自動的に移動させるテンプレート自動配置部とを含む、上記の構成のいずれかに記載のフォトプリンタであることを特徴とする。
【００１４】
このように構成すれば、テンプレートを手動で調整する手間が軽減される。なお、顔画像を抽出する手段は、従来技術により数多く提案されており、例えば、目、鼻、口の形状をパターン化しておいて、それを基に顔の特徴を判断し、顔の位置を調べることができる。
【００１５】
（５）前記テンプレート自動配置部は、さらに、前記顔画像抽出部で抽出した顔画像が前記曲線形状の中に納まるように該テンプレートの大きさを自動調節するテンプレート自動調整部を含むことを特徴とする。
【００１６】
このように構成すれば、テンプレートを手動で調整する手間が軽減される。テンプレートの自動調整は、前述の通り、例えば、目、鼻、口の形状をパターン化しておく方法が考えられる。
【発明の効果】
【００１７】
本発明によれば、ディジタルカメラで撮影した写真を画像入力手段により入力し、証明写真用のテンプレートに合わせて不要部分をトリミングしたものを印刷することができるので、証明写真が手軽に得ることができ、わざわざ、撮影所に行かなくても済む。
【発明を実施するための最良の形態】
【００１８】
図１に第１の実施態様に係るフォトプリンタの内部構成図を、図２に第１の実施態様に係るフォトプリンタの概略図を示す。
【００１９】
本実施態様では、図１の通り、以下のように構成される。即ち、フォトプリンタ１０の動作を指示する操作部６と、操作部６からの指示により、動作する制御部３と、制御部３のにより制御される画像入力部１、表示器２、画像格納部５、印刷部７、及びテンプレート記憶部１４とからなる。
【００２０】
操作部６は、証明写真を作成するための証明写真作成モードが選択できるようにし、その選択がされた場合、制御部３は証明写真作成のフローの実行を行う（後述、図３、図４参照。）。また、操作部６は、後述の通り、テンプレートの形状を上下左右に移動し、拡大縮小するためのキーを備える。例えば、図２の通りカーソルキー８を用いる。
【００２１】
画像入力部１は画像を外部から入力する。ここで、その画像入力の手段は、図２の通り、パソコン９を接続して、そこから受信されたものであってもよく、また、カードリーダを通して、カード型記憶媒体などから入力するものであってもよい。本実施態様では、図５のような画像を入力したとして以下説明する。
【００２２】
表示器２には、制御部３の制御により、その画像入力部１から得た画像が表示され、操作部６において、表示器２を見ながら所定の画像を選択できるようにする。
【００２３】
画像格納部５には、制御部３の制御により、当該画像を格納することができ、また、後述の通り、画像処理後の画像を格納することができる。
【００２４】
印刷部７は、当該画像の印刷を行う。即ち、操作部６において印刷の指示がされれば、制御部３は印刷部７に対し表示器２に表示された画像を印刷するように制御を行う。
【００２５】
テンプレート記憶部１４には、種々のテンプレートを格納しておき、制御部３の制御により、テンプレートを呼び出して、表示器２にテンプレートを表示するようにする。
【００２６】
図６に証明写真作成モードが選択されたときに表示器に表示される表示の一例を示す。テンプレートは、テンプレートの外側の矩形１２とテンプレートの内側の曲線形状１３からなる。テンプレートの外側の矩形１２は、パスポート用、免許書用、履歴書用等を用意し、テンプレートの内側の曲線形状１３は、男性用にΩ形状とし、女性用にＵ形状の上下逆の形状としたもの等を用意する。テンプレートは手動で上下左右移動、及び拡大、縮小できるよう、操作部６にキーを用意し、制御部３に指示して、表示器２２の表示を変更できる。
【００２７】
制御部３は、前記の通り、種々の機器の制御を行うほか、画像処理部４を含んでいる。画像処理部４は、証明写真作成モードにおいて、背景をトリミングして所定の色を配色した合成画像の作成を行う。
【００２８】
画像格納部５は、制御部３の指令を受けて画像処理部４において作成された合成画像を格納することができるようにする。印刷部７は、画像処理部４において作成された合成画像の印刷を行うことができるようにする。印刷結果は、入力した画像が図５とすれば、例えば図７のようにすることができる。
【００２９】
図３、図４に第１の実施態様に係るメインフロー図を示す。まず、Ｓ１において、画像入力部１から入力した画像のうち、一つが選択されれば、ＹとなってＳ２に進む。所定の画像を選択されなければＮとなり、選択されるまで待機する。
【００３０】
Ｓ２において、操作部６により選択が指示された画像を、表示器２に全面に表示する。前述の通り、本実施態様では図５の画像が入力され、これを表示する。
【００３１】
Ｓ３において、前述の証明写真作成モードが選択されたかどうか判断する。即ち、当該選択について、操作部６からの信号を受けたかどうか判断する。この証明写真作成モードが選択されれば、即ち当該信号を受ければ、Ｙとなり、Ｓ４に進む。選択されなければＮとなり、このモード又は他のモードが選択されるまで待機する。
【００３２】
Ｓ４において、操作部６により選択が指示された画像に重ねて、テンプレートの外側の矩形１２、テンプレートの内側の曲線形状１３を表示する。例えば、図６のように表示する。図６に示すとおり、テンプレートの外側の矩形１２は、四角形状であり、テンプレートの内側の曲線形状１３は上半分が少なくとも丸形状であって、操作部６により選択が指示された画像に重ねて表示する。テンプレートは、テンプレート記憶部１４（図１参照。）に複数用意しておくが、とりあえずそのうちの１つを表示する。
【００３３】
Ｓ５において、テンプレートの変更の選択がされたか判断する。当該選択がされれば、Ｙとなり、Ｓ６に移動する。当該選択がされなければ、Ｎとなり、Ｓ６を飛ばして、図４のＳ７に進む。かかる選択は、所定のモードにおいて、操作部６付属のカーソルキー８で選択できるようにする。
【００３４】
Ｓ６において、テンプレート記憶部１４から別のテンプレートを呼び出し、現在表示器２に表示されているテンプレートを変更する。
【００３５】
図４のＳ７において、テンプレートの外側の矩形１２の上下左右移動、拡大縮小移動の指示がなされたかを判断する。即ち、上下左右移動、拡大縮小移動について、操作部６からの信号を受けたかどうか判断する。操作部６からの信号を受けた場合、Ｙとなり、Ｓ８へ移動する。当該信号を受けていない場合、Ｎとなり、Ｓ９へ移動する。なお、移動時において、テンプレートの外側の矩形１２の大きさは、テンプレートの内側の曲線形状１３の内側に入ることがないように設定する。係る移動は、例えば、図２の操作部６に付属のカーソルキー８で指示する。
【００３６】
Ｓ８において、Ｓ７の上下左右移動等の指示がなされた場合、移動後のテンプレートの外側の矩形１２を表示する。
【００３７】
Ｓ９において、テンプレートの内側の曲線形状１３の上下左右移動、拡大縮小移動の指示がなされたかを判断する。即ち、上下左右移動、拡大縮小移動について、操作部６からの信号を受けたかどうか判断する。上下左右移動がなされた場合、即ち、当該信号を受けた場合Ｙとなり、Ｓ１０へ移動する。当該信号を受けていない場合Ｎとなり、Ｓ１１へ移動する。なお、移動時において、テンプレートの内側の曲線形状１３の大きさは、テンプレートの外側の矩形１２の外側に出ることがないように設定する。
【００３８】
Ｓ１０において、Ｓ９の上下左右移動等の指示がなされた場合、移動後のテンプレートの内側の曲線形状１３を表示する。
【００３９】
Ｓ１１において、証明写真のプレビューを表示するかフォトプリンタのユーザに選択を求め、その選択がされたか判断する。当該表示の選択がされた場合は、Ｙとなり、Ｓ１０に移動する。当該表示の選択がされなかった場合はＮとなり、Ｓ４へ移動し、入力画像とテンプレートを再表示する。
【００４０】
Ｓ１２において、表示器２に証明写真の印刷プレビューの画像を表示する。この画像は、制御部３が画像処理部４に指示して、テンプレートの外側の矩形１２内の領域であって、テンプレートの内側の曲線形状１３の外側の部分を背景１１としてトリミングし、所定の色を付すことにより合成したものを画像処理部４が作成したものである。例えば、図７のように表示できる。
【００４１】
Ｓ１３において、操作部６によって印刷の指示がなされたか判断する。即ち、操作部６から、印刷をするとの信号を制御部３が得た場合にはＹとなり、Ｓ１４へ移動する。印刷をしないとの信号を制御部３が得た場合にはＮとなり、Ｓ４へ移動する。
【００４２】
Ｓ１４において、画像処理部４が作成した画像を画像格納部５に格納する。
【００４３】
Ｓ１５において、当該画像格納部５に格納された画像を印刷部７が印刷して動作フローは終了する。例えば図７のような印刷結果を得るようにする。
【００４４】
図８に第２の実施態様に係る内部構成図を示す。制御部３は、前述の通り、種々の機器の制御を行うほか、画像処理部４と、顔画像抽出部５１、テンプレート自動配置部５２、及び５２に含まれるテンプレート自動調整部５３を含んでいる。また、テンプレート記憶部１４内に顔テンプレート記憶部５４を含んでいる。第１の実施態様と異なる点は、かかる要素５１〜５４が追加された点にあり、第１の実施態様では、テンプレートの配置を手動で行ったが、本実施態様では、要素５１〜５４を動作させ、このテンプレートの配置を自動で行う。なお、本実施態様は、係る自動化に関するものであり、第１の実施態様に対して適用することが可能である。
【００４５】
顔画像抽出部５１は、顔テンプレート記憶部５４から顔画像テンプレートを取り出して、画像入力部１から入力した画像の中から顔画像を抽出し、位置を測定する。
【００４６】
図９に、第２の実施態様に係る画像テンプレートの配置のサブフローを示す。このフローは前述の第１の実施態様に係るメインフローのＳ４からＳ６の代わりに挿入する。
【００４７】
まず、このサブフローは、図３、図４に示すメインフローのＳ４からＳ１１までのループの中にあり、Ｓ１１において証明写真のプレビューを表示することが選択しない限り、又はＳ１３において証明写真の印刷しないことが選択される場合にはこのループを繰り返す。
【００４８】
Ｓ１０１において、このサブフローは、前記メインループがＳ１１又はＳ１３から戻って来たか判断する。Ｓ１１又はＳ１３から戻って来た場合、ＹとなりＳ１０２〜Ｓ１０５は飛ばして、Ｓ１０６に進む。このサブフローを初めて通過するときはＮとなり、Ｓ１０２へ進む。
【００４９】
Ｓ１０２において、顔画像抽出部５１は、顔テンプレート記憶部５４の目、鼻、口のパターンを読み込む。このパターンには、目、鼻、口の相対的な位置関係のデータも含まれる。
【００５０】
Ｓ１０３において、顔画像抽出部５１は、画像入力手段から入力した画像と、前述の目、鼻、口のパターンとが合致する位置を見つけ出し、その位置をデータ化する。その場所が複数ある場合は、複数の位置を認識する。かかる顔画像の認識は数多く提案されており、それらを利用する。
【００５１】
Ｓ１０４において、テンプレート自動配置部５２は、顔画像抽出部５１が抽出した顔の位置の１つにテンプレートを表示する。テンプレートは、複数用意するが、とりあえずそのうちの１つを表示する。
【００５２】
Ｓ１０５において、テンプレート自動調整部５３が、テンプレートの大きさを画像に合わせて調整する。前記目、鼻、口のパターンから、顔の大きさを割り出すことができるので、顔の大きさにテンプレートの内側の円形形状の大きさを決める。これらの手法は従来から数多く提案されており、これらを利用する。
【００５３】
Ｓ１０６において、テンプレートの変更の選択がされたか判断する。当該選択がされれば、Ｙとなり、Ｓ１０７に移動する。当該選択がされなければ、Ｎとなり、Ｓ１０７、Ｓ１０８を飛ばして、Ｓ１０９に進む。かかる選択は、所定のモードにおいて、操作部６付属のカーソルキー８で選択できるようにする。
【００５４】
Ｓ１０７において、テンプレートを変更し、それを表示器２に表示する。
【００５５】
Ｓ１０８は、Ｓ１０５と同様である。
【００５６】
Ｓ１０９において、テンプレートの位置が選択されたか判断する。複数人で写真を撮った場合において、顔を１つ選択できるようにする。即ち、Ｓ１０３で認識した顔の位置のデータが複数ある場合に、Ｓ１０６とは異なる所定のモードで、カーソルキー８により選択ができるようにする。かかる選択がされた場合には、Ｙとなり、テンプレートの位置を変更する。かかる選択がされなかった場合にはＮとなり、Ｓ１１０、Ｓ１１１を飛ばしてサブフローは終了する。
【００５７】
Ｓ１１０において、顔画像抽出部５１がＳ１０３で顔を複数認識した場合、顔の位置のデータから、テンプレートの位置を変更する。
【００５８】
Ｓ１１１は、Ｓ１０５と同様である。
【００５９】
その後、サブフローは終了する。ただし、前述の通り、このサブフローは第２の実施態様に係るものであるが、第１の実施態様に係るメインフロー図３のＳ４の代わりに用いるものであり、図３、図４のＳ４からＳ１１までのループの中で繰り返される。
【図面の簡単な説明】
【００６０】
【図１】第１の実施態様に係るフォトプリンタの内部構成図を示す。
【図２】第１の実施態様に係るフォトプリンタの概略図を示す。
【図３】第１の実施態様に係るフォトプリンタの撮影のメインフロー図である。
【図４】第１の実施態様に係るフォトプリンタの撮影のメインフロー図である。
【図５】画像入力手段から入力した写真の一例である。
【図６】証明写真作成モードが選択されたときに表示器に表示される表示の一例である。
【図７】出来上がった証明写真の一例である。
【図８】第２の実施態様に係るフォトプリンタの内部構成図を示す。
【図９】第２の実施態様に係る顔画像抽出部、テンプレート自動配置部、及びテンプレート自動調整部、顔テンプレート記憶部の動作についてのサブフロー図である。
【符号の説明】
【００６１】
１−画像入力部
２−表示器
３−制御部
４−画像処理部
５−画像格納部
６−操作部
７−印刷部
８−カーソルキー
９−パソコン
１０−フォトプリンタ
１１−背景
１２−テンプレートの外側の矩形
１３−テンプレートの内側の曲線形状
１４−テンプレート記憶部
５１−顔画像抽出部
５２−テンプレート自動配置部
５３−テンプレート自動調整部
５４−顔テンプレート記憶部
【図１】
2006215685.tif 000003
【図２】
2006215685.tif 000004
【図３】
2006215685.tif 000005
【図４】
2006215685.tif 000006
【図５】
2006215685.tif 000007
【図６】
2006215685.tif 000008
【図７】
2006215685.tif 000009
【図８】
2006215685.tif 000010
【図９】
2006215685.tif 000011